(57)【要約】【課題】本発明は、人工皮革あるいは天然皮革を主体として用いた野球用バッティンググローブ１に関し、投手が投げたボールが打者の手に当たった場合に、手の骨の損傷を緩和することを目的とする。【解決手段】請求項１に係わる発明は、人工皮革あるいは天然皮革を主体として用いた野球用バッティンググローブ１の手甲部側に衝撃吸収材またはウレタン３あるいは、プラスティック素材またはそれに類似する素材２を内蔵あるいは外側部分に取り付け、投手が投げたボールが打者の手に当たった場合に、手の骨の損傷を緩和できるようにしたことを特徴とする。【選択図】    図３
2004173852.tif 000002
【特許請求の範囲】
【請求項１】
人工皮革あるいは天然皮革を主体として用いた野球用バッティンググローブ１において、手甲部側に衝撃吸収材３あるいは、プラスティック素材またはそれに類似する素材２を内蔵あるいは外側部分に取り付けた野球用バッティンググローブ。
【発明の詳細な説明】
【０００１】
【発明の属する技術分野】
本発明は、衝撃吸収材３あるいは、プラスティック素材２を用いることによりピッチャーが投げたボールが、打者の手の甲に当たった場合にそのボールの衝撃を緩和できる野球用グローブを提供しようとするものである。
【０００２】
【従来の技術】
近年、野球をするに際しては、バットを握る時も、素手ではなく、バッティンググローブを使用することが多くなった。これは、バットを握ったときに手とバットとの滑りを止め、バットと手とのフィット感を良くすると共に打撃時の衝撃が直接、手に伝わらないようにするためである。
【０００３】
【発明が解決しようとする課題】
しかしながら、上記のごとき従来例にあっては、投手が投げたボールが打者の手の甲に当たった場合、容易に手の骨を損傷しやすい。その事故により試合に参加することができなかったり、長年の練習の成果を発揮できないでいる選手は後を立たない。
【０００４】
【課題を解決するための手段】
請求項１の発明は、斯かる実情により案出されたもので、野球用バッティンググローブにおいて手甲部側に衝撃吸収材３あるいは、プラスティック素材またはそれに類似する素材２を内蔵あるいは、グローブの外側部分に取り付けた。そのため、投手が投げたボールが打者の手の甲に当たった場合にも、手の骨を損傷しにくい構造になっている。
【実施例】
以下、本発明の実施形態を図面に基づき説明する。
図１は、本発明を内蔵した左手用のバッティンググローブの正面図である。
図２は、本発明を内蔵した右手用のバッティンググローブの正面図である。
図３は、本発明のプラスチック素材２をバッティンググローブの外側に取り付けた左手用のバッティンググローブの正面図である。
図４は、本発明のプラスチック素材２をバッティンググローブの外側に取り付けた右手用のバッティンググローブの正面図である。
図５は、図１のグローブの断面図である。
図６は、図３のグローブの断面図である。
図７は、本発明を分割して内蔵した左手用のバッティンググローブの正面図である。
図８は、本発明を分割して内蔵した右手用のバッティンググローブの正面図である。
図９は、本発明を分割してプラスチック素材２をバッティンググローブの外側に取り付けた左手用のバッティンググローブの正面図である。
図１０は、本発明を分割してプラスチック素材２をバッティンググローブの外側に取り付けた右手用のバッティンググローブの正面図である。
【０００５】
図１の実施例では、人工皮革あるいは天然皮革を主体として用いた野球用バッティンググローブ１において、手の甲部分にプラスティック素材またはそれに類似する素材２を内蔵し、その下に衝撃吸収材あるいはウレタン３を入れて直接、手の甲にプラスティック素材２が当たって手の甲を傷つけることがないように考案されている。なお、内蔵される素材は、プラスティック素材またはそれに類似する素材２か、衝撃吸収材あるいはウレタン３のいずれか片方でも、効果を発揮できる。
【０００６】
図２は、図１と同じ仕様の右手用バッティンググローブである。
【０００７】
図３の実施例では、人工皮革あるいは天然皮革を主体として用いた野球用バッティンググローブ１において、手の甲の外側部分にプラスティック素材またはそれに類似する素材２を取り付け、その下に衝撃吸収材あるいはウレタン３を内蔵した左手用バッティンググローブである。
【０００８】
図４は、図３と同じ仕様の右手用バッティンググローブである。
【０００９】
図５は、図１のグローブの断面図である。野球用バッティンググローブ１にプラスティック素材またはそれに類似する素材２、その下に衝撃吸収材あるいはウレタン３が内蔵され、それを本体のグローブ１に表面素材４と皮膚に当たる素材５で縫合されている。なお、表面素材４と皮膚に当たる素材５は、どのような素材でも使用可能である。内蔵素材は、プラスティック素材またはそれに類似する素材２か、衝撃吸収材あるいはウレタン３の片方でもかまわない。
【００１０】
図６は、図３のグローブの断面図である。野球用バッティンググローブ１の外側部分にプラスティック素材またはそれに類似する素材２が取り付けられ、その下に衝撃吸収材あるいはウレタン３が内蔵され、それを本体のグローブ１に表面素材４と皮膚に当たる素材５で縫合されている。なお、表面素材４と皮膚に当たる素材５は、どのような素材でも使用可能である。
【００１１】
図７は、左手用のバッティンググローブの正面図である。本発明のプラスティックおよびそれに類似する素材２によってバッティンググローブ１の伸縮性あるいは屈曲性を止めてしまうことを回避するために、本発明部分を分割して伸縮性を止めない工夫の１例を示したものである。
【００１２】
図８は、本発明を分割して内蔵した右手用のバッティンググローブの正面図である。
【００１３】
図９は、本発明を分割してプラスチック素材２をバッティンググローブの外側に取り付けた左手用のバッティンググローブの正面図である。
【００１４】
図１０は、本発明を分割してプラスチック素材２をバッティンググローブの外側に取り付けた右手用のバッティンググローブの正面図である。
【発明の効果】
以上述べたように、請求項１に係わる野球用バッティンググローブによれば、投手が投げたボールが手の甲に当たった場合に、手の骨の損傷を少なくする効果が認められる。
【図面の簡単な説明】
【図１】は、本発明を内蔵した左手用のバッティンググローブの正面図である。
【図２】は、本発明を内蔵した右手用のバッティンググローブの正面図である。
【図３】は、本発明のプラスチック素材２をバッティンググローブの外側に取り付けた左手用のバッティンググローブの正面図である。
【図４】は、本発明のプラスチック素材２をバッティンググローブの外側に取り付けた右手用のバッティンググローブの正面図である。
【図５】は、図１のグローブの断面図である。
【図６】は、図３のグローブの断面図である。
【図７】は、本発明を分割して内蔵した左手用のバッティンググローブの正面図である。
【図８】は、本発明を分割して内蔵した右手用のバッティンググローブの正面図である。
【図９】は、本発明を分割してプラスチック素材２をバッティンググローブの外側に取り付けた左手用のバッティンググローブの正面図である。
【図１０】は、本発明を分割してプラスチック素材２をバッティンググローブの外側に取り付けた右手用のバッティンググローブの正面図である。
【符号の説明】
１  野球用バッティンググローブ
２  プラスティックおよびそれに類似する素材
３  衝撃吸収材あるいはウレタン
４  本発明部分を縫合する表面素材
５  皮膚に当たる素材
【図１】
2004173852.tif 000003
【図２】
2004173852.tif 000004
【図３】
2004173852.tif 000005
【図４】
2004173852.tif 000006
【図５】
2004173852.tif 000007
【図６】
2004173852.tif 000008
【図７】
2004173852.tif 000009
【図８】
2004173852.tif 000010
【図９】
2004173852.tif 000011
【図１０】
2004173852.tif 000012